(57)【特許請求の範囲】
【請求項１】
通信機器の実装構造において、通信機本体部と取付部を分離可能構造にすると共に、前記取付部が熱交換器を有し、
前記取付部が、内蔵している前記熱交換器により、外気から冷気を取り入れ、前記通信機本体部に前記冷気を送風し、前記通信機本体部が発生する暖気を吸気し、前記通信機本体部の冷却を行い、
前記通信機本体部が、前記取付部からの送風を該通信機本体部内に取り込む吸気孔と、前記通信機本体部が発生した暖気を前記取付部に排気する排気孔とを有する、通信機器の実装構造。
【請求項２】
前記取付部が、横から見て略Ｌ字状の構造とし、通信機本体を支持する台となる構造とする請求項１に記載の通信機器の実装構造。
【請求項３】
前記取付部が、前記通信機本体部を支持する台となる部分に前記通信機本体部の底部にある凹部に勘合する凸部を有する構造とする請求項１に記載の通信機器の実装構造。
【請求項４】
前記熱交換器が、通信機本体の発熱量と設置場所の周囲環境温度条件に合わせて熱交換効率の選択手段を有する請求項１に記載の通信機器の実装構造。
【発明の詳細な説明】
【０００１】
【発明の属する技術分野】
通信機器の実装構造に関し、特に通信機器本体部と熱交換器を有する取付部の実装構造に関する。
【０００２】
【従来の技術】
携帯電話システム等に使用される通信機の実装構造において、通信機の内部発熱が増加すると共に筐体全体の外形、質量も大きくなっている。
【０００３】
従来の筐体構造は図５に示すように一体型の通信機５０で構成されており、内部消費電力の増加に比例して外形、質量が大きくなっていた。取付場所の１例としてポール３に取付けることを想定すると、工事作業者は１人で持ち運びできる質量は約１５kg程度と考えられる。
【０００４】
筐体サイズ，質量を小さくするためには、内部発熱をいかにして放熱するかに係っており、具体的な開発が課題となっていた。
【０００５】
【発明が解決しようとする課題】
本発明の目的は設置作業の作業性がよく、通信機本体の発熱量と設置場所の周囲環境温度に適応する通信機の実装構造を提供することである。
【０００６】
【課題を解決するための手段】
本発明の通信機器の実装構造は、通信機本体部と取付部を分離可能構造にすると共に、前記取付部が熱交換器を有し、前記取付部が、内蔵している前記熱交換器により、外気から冷気を取り入れ、前記通信機本体部に前記冷気を送風し、前記通信機本体部が発生する暖気を吸気し、前記通信機本体部の冷却を行い、前記通信機本体部が、前記取付部からの送風を該通信機本体部内に取り込む吸気孔と、前記通信機本体部が発生した暖気を前記取付部に排気する排気孔とを有することを特徴とする。
【０００７】
また、取付部は、横から見て略Ｌ字状の構造とし、通信機本体を支持する台となる構造とし、通信機本体部を支持する台となる部分に通信機本体部の底部にある凹部に勘合する凸部を有する構造とする
また、通信機本体部は、取付部との嵌合面に防水用のパッキング手段を有する。
【０００９】
またさらに、熱交換器は、通信機本体の発熱量と設置場所の周囲環境温度条件に合わせて熱交換効率の選択手段を有する。
【００１０】
本発明により、 設置工事の際、通信機本体部と取付部とが分離構造となっているので、単位質量が軽減されるので、取扱いが容易になり作業性の向上になる。さらに、通信機本体の発熱量に合わせて熱交換器の調整ができ、設置場所の周囲環境温度条件に合わせて選択ができる。
【００１１】
また、取付部に通信機本体を支持する台座部分が有るので、組立作業が楽であり、通信機本体の故障・修理時に、装置全体をポール等から取外すことなく、本体部分のみ交換が可能になり、作業性が良い。
【００１２】
【発明の実施の形態】
次に、本発明の実施の形態について図面を参照して詳細に説明する。図１は実施例を示す外観斜視図であり、図２は実施例の組立て状態を示す分解斜視図であり、図３は設置された通信機の使用状態の縦断面を示す図である。
【００１３】
図１〜３に示すように、本発明の通信機は、本体部と取付部の２筐体で構成されると共に、取付部は横から見て略Ｌ字形の断面を示す筐体で、本体部を載せる台を形成している。取付部内部にはヒートパイプ方式等による熱交換器が収容されている。通信機の本体部は箱状筐体で、筐体内部に回路ユニットを収容している。両筐体は一体に組合わされた状態で、図３に示すように、通信機本体の内部で発生する熱が取付部側に吸引され、冷却放熱される循環システムが形成されるようになっている。取付部側のＬ字形台座部分には通信機本体の底面部に設けられた凹部に嵌合する凸部が設けられている。
【００１４】
次に、各図面により実施例の詳細を説明する。
図１によれば、通信機（通信機本体１及び取付部２）は鉄塔やポールに取付けられるのが一般的である。
【００１５】
図２によれば、取付部２はポール３にバンド等にて固定される。通信機本体１は取付部２下部のＬ字形台座に乗せる形で組立てられる。台座の凸部２３に通信機本体１側凹部１３を嵌合させると自然に所定の位置に取付くようにしておく。
【００１６】
通信機本体１の背面には防水用パッキング５が装着されており、組立後は両筐体が密閉される役割を果たしている。
【００１７】
図３によれば、通信機本体１には内部ユニット１０からの発熱で内部温度が上昇するので何らかの形で放熱する必要がある。実施例では取付部２内部に熱交換器２０を実装し、通信機本体１側の熱（暖気）を吸引して外部に放熱し、外気（冷気）を送風する循環システムを形成する。熱交換器２０は使用環境温度や通信機本体１の消費電力に合わせて仕様を決める。図でも分かるように、通信機本体１が故障した場合は、図５に示す従来型のように全体をポールから取外すこともなく比較的容易に交換が可能である。
【００１８】
次に、本発明の他の実施例として図４を用いてその構造を説明する。取付部２は上記実施例ではＬ字形台座構造をしていたが、本実施例では逆Ｌ字形とし、屋根に相当する部分にフック等を設けて容易に通信機本体を懸引し、固定ねじで通信機本体を取付部２に固定するもので、屋根に相当する部分を防滴構造とするものである。その他の構造ならびに機能は上記実施例と変わりがない。
【００１９】
【発明の効果】
本発明によれば、 通信機器の設置工事は作業者１人で持上げられる質量が望ましく、本発明により、先ず、取付部をポールに固定した後に、通信機本体を組立てることができ、作業性の向上が図れる効果がある。
【００２０】
また、通信機本体のメンテナンス時も比較的故障率の高い本体部のみを交換できるので、ポールからの取外しも楽になる効果がある。
【００２１】
すなわち、取付部及び通信機本体共、質量を約１５ｋｇ程度にしておけば、工事者は１人でも問題ない。
【００２２】
さらに、本発明によれば、取付部内部には熱交換器が実装され、設置環境に応じた冷却能力の調整が可能になる効果がある。
【図面の簡単な説明】
【図１】実施例を示す外観斜視図である。
【図２】実施例の組立て状態を示す分解斜視図である。
【図３】設置された通信機の使用状態の縦断面を示す図である。
【図４】他の実施例を示す外観斜視図である。
【図５】従来の実施例を示す外観斜視図である。
【符号の説明】
１    通信機本体
２    取付部
３    ポール
５    パッキング
６    取付ネジ
１０    内部ユニット
１１    吸気口
１２    排気口
１３    凹部
２０    熱交換器
２１    吸気口
２２    排気口
２３    凸部
５０    通信機
【図１】
0003661766.tif 000002
【図２】
0003661766.tif 000003
【図３】
0003661766.tif 000004
【図４】
0003661766.tif 000005
【図５】
0003661766.tif 000006